Podtech/llm-jp-corpus-v4-ja_patent huggingface dataset:
(57)【要約】【課題】水力、風力、太陽光のように天候に左右されず、燃料を必要とせず、原子力を使わず、小スペースで大きなトルクを得ることが出来る重力回転装置を提供する。【解決手段】上下に間隔を開けた回転自在の上従動回転体と下従動回転体に無端状伝達体を巻掛け、無端状伝達体に長筒状で中空の錘ケースの片端を同一角度で等間隔に複数個固着する、錘ケースに遊動自在の錘を内蔵し、錘ケースの傾斜角度により傾斜底部に錘が自然移動する構造である。【選択図】図１
2016217268.tif 000002
【特許請求の範囲】
【請求項１】
上下に垂直配置した回動自在の従動回転体に無端状伝達体を巻掛け、無端状伝達体に遊動自在の錘を内蔵した中空で長筒状の錘ケースの片端を、同一角度で固着し、等間隔に複数個装着する。錘ケースが傾斜することにより、内部の錘の移動で重力差を生じ一体を自然回動させる事を特徴とする重力回転装置。
【請求項２】
前記装置の上下従動回転体の中心軸を下従動回転体の軸芯を中心に傾斜させることにより錘ケースの傾斜角度を変化させ錘の傾斜底部への移動速度を変化させることを特徴とする請求項１記載の重力回転装置。
【発明の詳細な説明】
【技術分野】
【０００１】
本発明は、上下のスプロケットなどの従動回転体に巻掛けたチェーンなどの無端状伝達体に中空で内部に遊動自在の錘を内蔵した、長筒状の錘ケースを複数個同一角度で等間隔に装着し、錘ケースの傾斜により、ケース内部の錘が自然に傾斜底部に移動することで、てこの原理が働き自然回転する重力回転装置に関するものである。
【背景技術】
【０００２】
従来の自然回転装置では風力や水力等による様々な方式が発明されているが天候に左右され安定した回転を持続することが出来ない。
【０００３】
他の重力による回転装置に関しても多くは論理的には可能であるが実用となると長期間作動し続け大きなトルクを得ることは不可能である。
【先行技術文献】
【特許文献】
【０００４】
【特許文献１】特開平６−２９９９４９
【特許文献２】特開２０１３−２４２６
【非特許文献】
【０００５】
【非特許文献１】なし
【発明の概要】
【発明が解決しようとする課題】
【０００６】
水力、風力、太陽光などの自然エネルギーは天候に左右され安定した供給が出来ないばかりか広大な敷地や大規模な設備が必要である、火力は燃料コストが掛かりすぎ、原発は事故を起こせば地球を破壊し、核廃棄物の捨て場が無いなどの難点がある。本発明はあらゆる燃料や水力、風力、太陽光も不要で無限のトルクを得ることができ、長期間安定して動き続け、安価で製作できる重力回転装置を提供することである。
【課題を解決するための手段】
【０００７】
上下の回転自在のスプロケットなどの従動回転体に巻掛けたチェーンなどの無端状伝達体に、長筒状の錘ケースの片端を同一角度で等間隔に複数個装着する、錘ケースの内部は中空で遊動自在の錘が内蔵されており、この錘は転動または滑走し、傾斜底部に自然移動する仕組みである。また、錘ケースは無端状伝達体に対し一定の角度であるが、下軸を中心に上軸と下軸の軸心を傾斜させることにより錘ケースの角度を自由に調整できる構造となっている。
【発明の効果】
【０００８】
本発明の重力回転装置はこの装置を垂直または側面方向に傾斜して据え付けることにより錘ケース内の錘は一斉に錘ケースの傾斜底部に集まり、てこの原理で軸芯からの距離が長い方の錘が大きな重力となり全ての錘ケースは無端状伝達体と共に周回し、上下スプロケット及び上下軸を自然に回転させる。
【図面の簡単な説明】
【０００９】
【図１】重力回転装置の正面図である。
【図２】図１の重力回転装置の軸芯Pを傾斜させた正面図である。
【図３】図１の重力回転装置の斜視図である。
【図４】錘ケース１の断面図で傾斜に対する錘２の移動位置を示す図である。
【発明を実施するための形態】
【００１０】
上スプロケット４と下スプロケット６にチェーン３を巻掛け、チェーン３に錘２を内蔵した錘ケース１を複数個装着し、下軸７を中心に軸心Pを傾斜させることにより錘ケース１の角度βを自由に調整できる、以上述べた如く簡単な部品と単純な構造で構成されており特殊な技術も必要なく安価で製作できる重力回転装置を実現した。
【実施例】
【００１１】
図１は本装置の錘ケース１を同一角度で等間隔に複数個装着した正面図である、上下に間隔を開けた回転自在の上スプロケット４と下スプロケット６にチェーン３を巻掛け、チェーン３に長筒状で中空の錘ケース１の片端を角度βで等間隔に複数個固着する、錘ケース１に遊動自在の錘２を内蔵し、錘ケース１の角度βにより傾斜底部に自然移動する構造となっている、尚、上スプロケット４と上軸５、下スプロケット６と下軸７はキーなどで各一体となっており、チェーン３の周回移動を両軸に伝動する。
【００１２】
図２は軸芯Pを傾斜させた重力回転装置の正面図である、軸芯Pを角度α傾斜させることにより、錘ケース１の角度βが変化し、錘２の傾斜底部への移動速度を変化させることができる、同時にチェーン３、の周回速度、上スプロケット４、上軸５、下スプロケット６、下軸７の回転速度も変化する。
【００１３】
図３は重力回転装置の斜視図である、錘ケース１は実施例では角筒状であるが円筒など他の形状でも内部の錘２が遊動自在であれば可能である。
【００１４】
図４は錘ケース１の断面図である、内蔵された遊動自在の錘２は角度βに傾斜した傾斜底部に移動している、錘２の形状は実施例では球体であるが円柱や四角柱でも滑りさえすれば可能である、また液体でもよい。
【００１５】
錘ケース１の長さ、幅、高さ、及び錘１の重量は自由であるが、錘ケース１は長いほど、てこの原理で重量差が大きくなり、錘１の重量が大きいほど本装置の回転トルクは大きくなる。
【産業上の利用可能性】
【００１６】
本重力回転装置は上記に述べたような簡単な構造であるが、この装置を同軸に複数連結することにより小スペースで大きなトルクを得ることができ、発電機などを組み込むことにより大量の電力を得ることが可能となる。
【符号の説明】
【００１７】
１    錘ケース
２    錘
３    チェーン（無端状伝達体）
４    上スプロケット（上従動回転体）
５    上軸
６    下スプロケット（下従動回転体）
７    下軸
【図１】
2016217268.tif 000003
【図２】
2016217268.tif 000004
【図３】
2016217268.tif 000005
【図４】
2016217268.tif 000006
【手続補正書】
【提出日】平成27年5月25日(2015.5.25)
【手続補正１】
【補正対象書類名】図面
【補正対象項目名】図４
【補正方法】変更
【補正の内容】
【図４】
2016217268.tif 000007
(57)【要約】【課題】組立作業性を向上させ、コスト低減が可能な転がり軸受用保持器を提供することを目的とする。【解決手段】一対の、膨出部と平坦面部とを交互に備えて円環状に形成されている波形環状板を抱き合わせて、締結してなる転がり軸受用保持器において、第一の波形環状板の平坦面部に一体的に係合爪を形成し、第二の波形環状板の平坦面部に通孔とこれに連なる係合凹溝とを備えて、前記係合爪を前記通孔に挿入した後、前記係合爪を前記係合凹溝内へ折曲することで、一対の波形環状板を一体的に締結する。これにより、保持器の組立作業性を向上させ、コスト低減が可能となる。【選択図】図１
2016217463.tif 000002
【特許請求の範囲】
【請求項１】
一対の、膨出部と平坦面部とを交互に備えて円環状に形成されている波形環状板を抱き合わせて、締結してなる転がり軸受用保持器において、第一の波形環状板の平坦面部に一体的に係合爪を形成し、第二の波形環状板の平坦面部に通孔とこれに連なる係合凹溝とを備えて、前記係合爪を前記通孔に挿入した後、前記係合爪を前記係合凹溝内へ折曲することで、一対の波形環状板を一体的に締結することを特徴とする転がり軸受用保持器。
【発明の詳細な説明】
【技術分野】
【０００１】
本発明は、二枚の波形環状板を抱き合わせてなる転がり軸受用保持器に関する。
【背景技術】
【０００２】
従来、この種の転がり軸受用保持器の一例を図４、図５に示す。保持器を構成する一対の波形環状板２１，２２には、それぞれ周方向等間隔に半球形の膨出部２３，２４が形成されており、各膨出部２３，２４の間の平坦面２５，２６の全てにはそれぞれ軸方向に貫通する円筒状のリベット孔２７，２８が設けられている。
【０００３】
前記一対の波形環状板２１，２２を互いに締結するステンレス製のリベット３０は、リベット孔２７，２８よりも径大の頭部３１と、リベット孔２７，２８より小径の軸部３２とを有している。そして、この軸部３２の先端側がかしめられて潰される。軸部３２は、頭部３１との付け根側に設けられて一方の波形環状板２１（２２）のリベット孔２７（２８）に圧入される円筒部３３と、この円筒部３２に連なってテーパ状に先細るテーパ部３４とからなる。
【０００４】
この保持器の組み立て手順を説明する。まず、第一の波形環状板２１の各リベット孔２７にリベット３０を装着し、この第一の波形環状板２１に対して第二の波形環状板２２を抱き合わせるように重ねつつ、リベット３０に第二の波形環状板２２のリベット孔２８を入れる。このとき、両波形環状板２１，２２の一対の膨出部２３，２４間に転動体４０を収容しておく。この状態において、第二の波形環状板２２のリベット孔２８から突出しているリベット３０の軸部３２の先端をかしめて潰すことにより、両波形環状板２１，２２を結合する。（特許文献１）
【先行技術文献】
【特許文献】
【０００５】
【特許文献１】実開平５−４７５４５号公報
【発明の概要】
【発明が解決しようとする課題】
【０００６】
しかしながら、上記の構成によると、一対の波形環状板を別部品のリベットによって結合しているため、保持器の仮組み時にリベットが波形環状板から脱落する虞があり、組立作業性が余り良くなかった。また、締結手段として別部品であるリベットを用いていたので、部品管理コストを押し上げる要因となっていた。本発明は、上記事情に鑑みてなされたもので、その目的は、保持器の組立作業性を向上させるとともに、低コストな転がり軸受用保持器を提供することにある。
【課題を解決するための手段】
【０００７】
前記課題を解決するための本発明は、一対の、膨出部と平坦面部とを交互に備えて円環状に形成されている波形環状板を抱き合わせて、締結してなる転がり軸受用保持器において、第一の波形環状板の平坦面部に一体的に係合爪を形成し、第二の波形環状板の平坦面部に通孔とこれに連なる係合凹溝とを備えて、前記係合爪を前記通孔に挿入した後、前記係合爪を前記係合凹溝内へ折曲することで、一対の波形環状板を一体的に締結することを特徴とする。
【発明の効果】
【０００８】
上記構成を採用することによって、保持器の組立作業性を向上させ、コスト低減が可能となる。
【図面の簡単な説明】
【０００９】
【図１】本発明に係る転がり軸受用保持器を示す断面図である。
【図２】本発明に係る転がり軸受用保持器を構成する一対の波型環状板を示す要部拡大図である。
【図３】従来の転がり軸受用保持器の波形環状板を示す図である。
【図４】従来の転がり軸受用保持器の要部拡大図である。
【発明を実施するための形態】
【００１０】
以下に、本発明の実施形態を図１から図３に基づいて詳細に説明する。本発明の転がり軸受用保持器１０は、樹脂製の一対の波形環状板（第一の波形環状板１，第二の波形環状板２）により構成されている。これら一対の波形環状板は、それぞれ円周数箇所に設けられた転動体収容用の膨出部１ａ、２ａと、各膨出部間の平坦面部１ｂ，２ｂを交互に備え円環形状を成している。また、第一の波形環状板１の平坦面部１ｂには、平坦面部の板を切り起こした係合爪１ｃが一体的に設けられている。さらに、第二の波形環状板２の平坦面部２ｂには穿孔された通孔２ｃ、及び前記通孔２ｃに連なって係合凹溝２ｄが設けられている。
【００１１】
次にこの転がり軸受用保持器の組み立て手順を説明する。まず、第一の波形環状板１と第二の波形環状板２とを合わせ前記係合爪１ｃを前記通孔２ｃに挿入する。このとき、両波形環状板１，２の一対の膨出部１ａ，２ａ間に転動体３を収容しておく。この状態において、第二の波形環状板２の通孔２ｃから突出している係合爪１ｃを折曲して前記係合凹溝２ｄ内へと収容して、両波形環状板１，２を締結する。さらに、締結を確実なものとするために、折曲した係合爪と係合凹溝との領域に溶着４をしてもよい。
【００１２】
このように、一方の波形環状板から形成した係合爪によって、一対の波形環状板締結できるので、保持器の組立作業性を向上させ、コスト低減が可能となる。
【００１３】
なお、本発明は、前述した実施形態に限定されるものではなく、適宜な変形、改良等が可能である。例えば、通孔への係合爪の挿入性を向上させるために、係合爪先端の面取りを施しても良い。また、本実施形態では樹脂性保持器について説明したが、金属製の材料で保持器を構成しても良い。
【符号の説明】
【００１４】
１…第一の波形環状板
２…第二の波形環状板
１ａ，２ａ…膨出部
１ｂ，２ｂ…平坦面部
１ｃ…係合爪
２ｃ…通孔
２ｄ…係合凹溝
【図１】
2016217463.tif 000003
【図２】
2016217463.tif 000004
【図３】
2016217463.tif 000005
【図４】
2016217463.tif 000006
(57)【要約】      （修正有）【課題】固定バンドの場所が移動できて、固定バンドの余った部分が邪魔にならないクッションをつくる。【解決手段】肘置きに設置するタイプの肘置き用クッションであって、長手状の本体部と本体側面に突出するように取り付けた固定バンド４でできた肘置き用クッション。前記固定バンドを取り付ける取付孔５が複数設けられている肘置き用クッション。【選択図】図１
2016209500.tif 000002
【特許請求の範囲】
【請求項１】
肘置きに設置するタイプの肘置き用クッションであって、
長手状の本体部と
本体側面に突出するように取り付けた固定バンドでできた肘置き用クッション。
【請求項２】
前記固定バンドを取り付ける取付孔が
複数設けられている請求項１の肘置き用クッション。
【発明の詳細な説明】
【技術分野】オフィスチェア、介護用椅子等の肘置き用クッションに関する。
【背景技術】
【０００１】介護用につくられたものがあり、本体に固定されたマジックテープでの取り付けになっている。それによりマジックテープの位置を本体の前方、後方に変えることができない。
【先行技術文献】
【非特許文献】
【０００２】
【非特許文献１】ｈｔｔｐ：／／ｗｗｗ．ｅｘｇｅｌ．ｊｐ／ｊｐｎ／ｐｒｏｄｕｃｔ／ｈｅａｌｔｈ−ｃａｒｅ／ｏｗｌ−ａｒｍｒｅｓｔｐａｄ／
【発明の概要】
【発明が解決しようとする課題】
【０００３】そこで、固定バンドの場所が移動できるクッションをつくる。
【発明を解決するための手段】
【０００４】肘置きに設置するタイプの肘置き用クッションであって、
長手状の本体部と
本体側面に突出するように取り付けた固定バンドで
できた肘置き用クッション。
前記固定バンドを取り付ける取付孔が
複数設けられている請求項１の肘置き用クッション。
【図面の簡単な説明】
【０００５】
【図１】・・・全体図
【図２】・・・図１、Ａの断面図
【図３】・・・図１、Ｂの断面図
【発明を実施するための形態】
【０００６】直方体、円柱、角柱等、の形をする１と
シリコン、プラスチック、樹脂等の素材でできた２を
布  、ビニール、樹脂、皮、麻等の素材でできた３でくるむ。
３は、ボンド、ソーイング、マジックテープ、ボタン、テープ、スナップ等で留める。
これらでできた本体を結束バンド、マジックテープ、布紐、革紐、金属、ねじ等しっかりと固定できるものでできた４で肘置き部分に取り付ける。
取り付けは、３に孔をあけシリコンボンド・ハトメ等の孔が広がらない処置をしたあとに、４を差し込む。その後、中の１と２の間を進み、反対側の３の孔から出るようにとりつける。
４の位置（本体の前方、後方）は肘置きに合わせて変えることができる。
【符号の説明】
【０００７】１・・・衝撃を吸収する素材
２・・・柔軟性のある基板
３・・・カバー
４・・・固定バンド
５・・・孔
【図１】
2016209500.tif 000003
【図２】
2016209500.tif 000004
【図３】
2016209500.tif 000005
(57)【要約】【課題】陶器と磁器で作った日常の器で材料に含まれる成分エキスを余すところなく抽出する容器を提供する【解決手段】本体部（１）に陶器を蓋（２）に磁器を用い（２）に破裂防止ホール（３）を設け（１）内部に加熱補助筒を設けたエキス抽出容器の特徴である【選択図】図２
2016209497.tif 000002
【特許請求の範囲】
【請求項１】
陶磁器容器で生ラッキヨを加熱燻蒸してラッキョエキスを抽出するのである
【発明の詳細な説明】
【技術分野】
【０００１】  この発明は陶磁器容器に生ラッキヨを投入しこれを低出力マグネトロン加熱方式で加熱燻蒸し蒸散したエキス成分を含んだ蒸気をマグネトロン出力を徐々に微弱にしてエキス溶液を抽出するのである
【背景技術】
【０００２】  従来からマグネトロン利用方法として分子運動による加熱・乾燥多種に利用されていたのである、しかしいずれの方式も機能を活かすためにそれに付随する補機類を必要としているのである
【発明の概要】
【発明が解決しようとする課題】
【０００３】  発明が解決する課題は加熱燻蒸に特製陶磁器容器を用いることである
【課題を解決するための手段】
【０００４】（１）本体は釉薬仕上げの陶器（２）蓋は高温焼上磁気（２）に破裂防止小ホール（３）を設け（１）内部に加熱補助筒（４）を設け蓋（２）上部に取手を付けたたエキス抽出器である
【発明の効果】
【０００５】エキス抽出容器として簡便で安価な抽出器である
【発明を実施するための最良の形態】
【０００６】以下、本発明を実施するための最良の形態について説明する
本体部（１）に原料を入れ蓋（２）をして低出力のマグネトロンを熱源として照射する
陶器で仕上げた本体が磁器で仕上げた蓋に比べ温度上昇が格段に高くなり本体と蓋との間に温度差が生じ始め本体に入れられた原料の持つ成分が容器内に蒸散が開始される蒸散された成分蒸気を温度差のある蓋部で水滴化され本体底部に溜めるのである
蓋（２）に温度上昇に伴う破裂を防止小ホール（３）が設けられたいるのである
本体内に設けた加熱補助筒（４）は本体と同時に熱せられるため微弱な遠赤外線が放出されエキス抽出に一役を担っているのである
本体温度８０℃を計測された時点でマグネトロン出力は切断する
【図面の簡単な説明】
【０００７】
【図１】  本発明の斜視図である
【図２】  本発明の断面図である
【符号の説明】
【０００８】１    本体
２    蓋
３    破裂防止小ホール
４    加熱補助筒
５    取手
【図１】
2016209497.tif 000003
【図２】
2016209497.tif 000004
(57)【要約】【課題】従来の花瓶の口で花を支える方法は花の数が少ないと、花が傾いてしまうから、ある程度の数の花を挿すことで花を直立させていた。そのために花瓶の口径は広すぎてはいけないので、口のつぼまっている壺型と細い筒型が多数である。そして、一輪挿しの花を直立させるためには、それ専用の花瓶を使用していた。本発明は花瓶の口で花を支える方法に替えて、花瓶の内壁面に花を挿す輪を設けて、それに花を挿す。  この事で、花瓶の口径が制限される事はなくなり、１個の広口の花瓶を使用して、一輪挿しも複数の花を挿す普通の生け花もできるようになる。【解決手段】  筒型の広口の花瓶の内壁面（１）の数か所に、小さい２個の輪（２）（３）を上下に、水平に設ける。輪の間隔を少し開けて、下の輪（３）は上の輪（２）の真下に設ける。【選択図】図１
2016209495.tif 000002
【特許請求の範囲】
【請求項１】
直立した内壁面の数か所に輪を水平に上下に１個づつ設けた花瓶
【発明の詳細な説明】
【技術分野】
【０００１】  本発明は直立した内壁面に花を挿す輪を設けた花瓶に関するものである
【背景技術】
【０００２】従来、花瓶はその口の部分で花を支えていた。
【先行技術文献】
【発明の概要】
【発明が解決しようとする課題】
【０００３】  しかし、これには、次のような欠点があった。
花瓶の口だけで花を支える方法では、花を挿す数が少ないと花が傾いてしまうから、花を直立させるためには、ある程度の数を挿す必要がある。
そのために花瓶の口径は広すぎてはいけないので、口のつぼまっている壺型と細い筒型が多数である。そして、一輪挿しの花を直立させるためには、それ専用の花瓶を使用していた。
本発明は花瓶の口で花を支える方法に替えて、花瓶の内壁面に花を挿す輪を設けて、それに花を挿す。
この事で、花瓶の口径が制限される事はなくなり、１個の広口の花瓶を使用して、一輪挿しも複数の花を挿す普通の生け花もできるようになる。
【課題を解決するための手段】
【０００４】  広口の筒型の花瓶の内壁面（１）の数か所に上下１個づつ小さい輪（２）（３）を水平に設ける。上下の輪（２）（３）は間隔をあけ、下の輪（３）が上の輪（２）の真下にあるようにする。
本発明は、以上の構成よりなる壁面に花を挿す輪を設けた花瓶である。
【発明の効果】
【０００５】内壁面の数か所に設けた上の輪から真下にある下の輪に花を挿すと、それぞれの花が個別に直立できる。そして、花瓶の口径は花の支えには関係ないので広口の筒型が使用できて、低くて広がりのある生け花が可能になる。。
広口の花瓶であるにもかかわらず直立した１輪挿しもできるし、従来、広口の花瓶では給水スポンジを使用して花を生けていたが、それを使用する必要もなくなる。
剣山では花の茎が裂けてしまう細い茎の花でも、輪には挿す事が出来る利点もある。
【図面の簡単な説明】
【０００６】
【図１】  本発明の斜視図である。
【図２】  壁の中に壁を重ねた本発明の斜視図である。但し輪は省略して描いていない。
【発明を実施するための形態】
【０００７】  以下、本発明を実施するための最良の形態について説明する。
広口の筒型の花瓶の内壁面（１）の数か所に上下１個づつ小さい輪（穴をあけた板を含む）（２）（３）を水平に設ける。上下の輪（２）（３）は間隔をあけ、下の輪（３）が上の輪（２）の真下にあるようにする。
上下の輪（２）（３）の替わりに１本の管を使用しても良い。花瓶の形は壁が直立していれば良くて、必ず筒型である必要はない。
より広がりのある生け花をする為の、壁の中に壁を重ねた花瓶も可能である。
【符号の説明】
【０００８】  １  内壁面
２  輪
３  輪
【図１】
2016209495.tif 000003
【図２】
2016209495.tif 000004
(57)【要約】      （修正有）【課題】使わなくなったイヤリングを再利用する為にアクセサリ−の一部に穴又は窪みを数カ所開けたイヤリングインアクセサリ−を提供する。【解決手段】アクセサリ−１の一部にイヤリング４をはめ込む為の穴２又は窪み３を数カ所開ける。【選択図】図１
2016209492.tif 000002
【特許請求の範囲】
【請求項１】
アクセサリ−（１）の一部にイヤリング（４）をはめ込む為の穴（２）又は窪み（３）を数カ所開けたイヤリングインアクセサリ−
【発明の詳細な説明】
【技術分野】
【０００１】この発明はアクセサリ−の一部に（イヤリングをはめ込む為の）穴又は窪みを数カ所開けたイヤリングインアクセサリ−に関する物である。
【背景技術】
【０００２】本来イヤリングは耳飾り専用のアクセサリ−であった。
【先行技術文献】
【特許文献】
【０００３】
【特許文献１】
【発明の概要】
【発明が解決しようとする課題】
【０００４】イヤリングには次のような欠点があった。
購入直後は頻繁に使用するがその後、飽きがきたり派手になり使わなくなる。でも綺麗、可愛い、愛着があり捨てずに置いてある事が多い。
本発明は使わなくなったイヤリングを再利用する為になされたものである。
【課題を解決するための手段】
【０００５】アクセサリ−（１）の一部にイヤリング（４）をはめ込む為の穴（２）又は窪み（３）を数カ所開ける。
本発明は以上の構成よりなるイヤリングをはめ込む為のアクセサリ−である。
【発明の効果】
【０００６】手持ちのイヤリングをイヤリングインアクセサリ−にはめ込む事により新たなアクセサリ−をつくり出し、イヤリングの再利用が可能となる。
イヤリングの新規購入時も本来のイヤリング（耳飾り）としての用途は勿論、イヤリングインアクセサリ−の一部として購入する事が出来る。
イヤリングとイヤリングインアクセサリ−の組み合わせを変える事により様々なアクセサリ−に変化する。購入者自身によるアクセサリ−の創作が出来る。
【図面の簡単な説明】
【０００７】
【図１】  本発明の正面図
【図２】  本発明の横断図
【発明を実施するための形態】
【０００８】以下、本発明を実施する為の形態について説明する。
アクセサリ−（１）の一部にイヤリング（４）をはめ込むための穴（２）又は窪み（３）を数カ所開ける。
穴（２）又は窪み（３）にイヤリング（４）をはめ込む。
本発明は以上のような構造である。
【符号の説明】
【０００９】１      アクセサリ−
２      イヤリングをはめ込む為の穴
３      イヤリングをはめ込む為の窪み
４      イヤリング
【図１】
2016209492.tif 000003
【図２】
2016209492.tif 000004
(57)【要約】【課題】外出時の食事後の歯磨き、うがい、薬飲みに最も困るのがカップです、如何なる所の洗面所にも紙カップすら置いてありません。歯ブラシは持って出てもカップは嵩張るので持ち歩く人はありません。【解決手段】携帯用としてポケットに入るサイズ・軽い事、なるべく平たい事、それらを満たすのにポリエチレン・フィルムを採用しましたが  それには多くの問題がありました。フイルムが余りにも柔らかく水を入れると横倒しになってカップの機能が果たしません。それを解決したのは底と上の口に当たる処のフイルムを二重にして加熱・溶接する事で底が安定する事で本発明が成し遂げました。【選択図】図５
2016209490.tif 000002
【特許請求の範囲】
【請求項１】
底になる部分はカップの半径のサイズをフイルムの一端からの処に線状に加熱・溶着しその短い所の両端をカットする、円筒型の型にこのフイルムをカットした処を左右に拡げ丸い部分のみ加熱・溶着する。
そして丸い部分から左右にはみ出た部分を円筒型に沿って４５度に折り畳みその部分を加熱・溶着する。
【請求項２】
口に当たる開口部は上部のフイルムを少し下に合成樹脂で固くした化学繊維のリボンをピンで仮止めし、上部のフイルムをリボンを巻き込む形で下にさげ  その部分のみ加熱・溶着する。リボンの一部を扇状に開いて外に出し持ち手として利用する。
【発明の詳細な説明】
【技術分野】
【０００１】本発明は外出時に携帯する軽くて透明性のあるカップ。
【背景技術】
【０００２】現在市販されているシリコン・ゴムの折り畳み携帯カップは素材の関係上色が原色なので見た目が悪く、そして嵩張り肉厚なので使用した時に口当りが良くありません。
又金属製はポケットに入れると違和感を思い、口当たりが冷たく感じられます。
紙製は四角か多角製で飲み難く、一度切りの使い捨てです。
【先行技術文献】
【０００３】
【特許文献１】  特開２００１−１８０６４３
【非特許文献１】
【０００４】ＰＣのネット＜折たたみカップの画像＞にある＜たためるシリコン・コップ＞及び＜ステンレス製便利たたみ式携帯ポケット盃＞
【発明の概要】
【発明が解決しようとする課題】
【０００５】本発明は以上に述べた素材とは異なり、ポリエレン・フイルムを使用しました。
この素材は無毒で透明性があり衛生的、伸縮性に富み、カップとして最適です。
【課題を解決するための手段】
【０００６】本発明は成型品ではなくフイルムと言う極めて薄い素材です、只のフイルムの袋に水を入れれば左右に倒れて水はすぐ流れてカップとしての用を全くなりえません。【０００７】本発明はこの様な柔らかい素材に水を入れても左右にぶれない様にするために底を二重にする事、そして側壁になる処にもフイルムを重ねてカップとしの機能を活かす事にしました。【０００８】上部の口に当たる処が柔らかくては水を飲む事も出来ません、当発明はそれを解決するため為に極めて薄い化学繊維のリボンを樹脂で固めそれをフイルムで巻き込む事で上部をしっかり固定しました。
リボンの一部を外に出し取手として活用しました。
【発明の効果】
【０００９】ポリエチレン・フィルムと言う柔らかい素材を如何にしてカップとしての機能を成せるか、本発明はそのために底はフイルムを二重し側壁の一部は三重にして水を入れてもしっかり立ち上がり、開口部は極めて薄くかつ固くしつかりして口当たりが良いものとなりました。
【図面の簡単な説明】
【００１０】
【図１】チューブ状フイルムの平面図
【図２】底になるフイルムを左右に拡げて木型に被せる立体図
【図３】丸型の左右に飛び出たフイルムを４５度に折り曲げた図
【図４】開口部を上にしてリボンを仮止めした立体図
【図５】開口部のリボンにフイルムを巻き込んだ立体図
【発明を実施するための形態】
【００１１】以下、本発明の実施の形態を図１〜図５に基づいて説明する。
【００１２】［図１］は筒形フイルムを平らに置き、フイルムの端から半径のサイズの処に線状に加熱・溶着する。
【００１３】［図２］は円筒型の木型の上にフイルムを差し込みカットした処を左右に広げ円い部分のみ加熱・接着する．この部分が底になる。
【００１４】［図３］は丸型からはみでた左右のフイルムを４５度に折り曲げ加熱・溶接する。
【００１５】［図４］は木型からフイルムを取り外し開口部を上にして、少し下にリボンを仮止めする。
［図５］は開口部の上にあったフイルムをリボンを跨いでいて下に下げ加熱・溶着する。
【産業上の利用可能性】
【００１６】外出しての食事後口の中を洗う時歯ブラシは持って出る人はありますがカップは嵩張るので持ち歩きしません、歯磨き、口ゆすぎ、薬飲みにカップは必要ですがデパート・オフィス等の洗面所にも紙カップすら置いてありません、それは衛生面からの理由もある事でしょう。
特に災害時には汚れた手で水を汲む事は不衛生です。
【符号の説明】
【００１７】１はポエチレン・フイルム
２は線状に加熱・溶合
３はフイルムの一部を切り開いた図
４は円筒型の木型
５はフイルムを丸型の処のみ加熱・接着する
６は丸形からはみ出たフイルム
７は化学繊維のリボン
８はリボンを下に巻きこんだフイルム
【図１】
2016209490.tif 000003
【図２】
2016209490.tif 000004
【図３】
2016209490.tif 000005
【図４】
2016209490.tif 000006
【図５】
2016209490.tif 000007
(57)【要約】【課題】  車道面の雨水は汚れた物質，土、砂等が雨水の中に含まれているが泥だめます底部に沈殿させて、回収はバキューム車に頼っている。【解決手段】  泥だめますに入った汚れ物質は、土、砂等を回収容器に貯めて、回収容器ごと空の回収容器に入れ替えることで解決した。【選択図】図４
2016209853.tif 000002
【特許請求の範囲】
【請求項１】
車道面側の雨水排水を回収する、泥だめますに関する、
浸透ますを下流に設置して、上流側のますは、泥だめますとして設置して、浸透ます自体に土、砂等の流入を軽減し目詰まりを起こしにくくするために、上流側の泥だめますに車道面より流れてくる雨水の中に含まれる土、砂等の物質を、回収するために泥だめますの中に回収容器を設置する、回収容器に回転フィルターを取り付けて、この回転フィルターで雨水を受ける、雨水だけはフィルターの網目を通り真下に流下していく、土、砂等の物質はフィルターの内側に残る、フィルターは半球型形状で、回転軸には６面体の構成で回転する、
半球型形状はじめは、水平状態で雨水を受けるが、回転することでフィルター底部に残った、土、砂等の物質は、半球型形状が回転することで、さかさまになる時があり、土、砂等の物質は自重で容器の中に落下する、回転フィルター底部に残った、土、砂等の物質は回転する遠心力により、フィルター底部に残るが、土、砂等の水分が少なくなるか、物質の自重が重くなること、回転速度が遅くなるか、回転が止まる時には、フィルター底部の物質が回収容器に落下することを特徴とする回転フィルター付き容器。
【発明の詳細な説明】
【技術分野】
【０００１】  本発明は、車道面に降った雨水の中の汚れ物質を回収するために、泥だめますの中に回収容器を設置する。
【背景技術】
【０００２】  従来の泥だめます、木の葉など軽くて大きなサイズのものは、大型のフィルターで回収できたが、土、砂物質は泥だめますの底部残る。
【発明の開示】
【発明が解決しようとする課題】
【０００３】  前記の泥だめますでは、木の葉は回収できたが、土、砂等物質は底部に沈殿物として残る、
本発明は土、砂等物質は回収容器で回収が可能となり、泥だめますの底部に土、砂等が残らないことを提案する。
【課題を解決するための手段】
【０００４】  本発明は、上記の目的を達成するために、
浸透ますを下流に設置して、上流側のますは、泥だめますとして設置して、浸透ます自体に土、砂等の流入を軽減し目詰まりを起こしにくくするために、上流側の泥だめますに車道面より流れてくる雨水の中に含まれる土、砂等の物質を、回収するために泥だめますの中に回収容器を設置する、回収容器に回転フィルターを取り付けて、この回転フィルターで雨水を受ける、雨水だけはフィルターの網目を通り真下に流下していく、土、砂等の物質はフィルターの内側に残る、フィルターは半球型形状で、回転軸には６面体の構成で回転する、
半球型形状はじめは、水平状態で雨水を受けるが、回転することでフィルター底部に残った、土、砂等の物質は、半球型形状が回転することで、さかさまになる時があり、土、砂等の物質は自重で容器の中に落下する、回転フィルター底部に残った、土、砂等の物質は回転する遠心力により、フィルター底部に残るが、土、砂等の水分が少なくなるか、物質の自重が重くなること、回転速度が遅くなるか、回転が止まる時には、フィルター底部の物質が回収容器に落下することを特徴とする回転フィルター付き容器で上記の課題を解決した。
【発明の効果】
【０００５】  上述したように、車道面に降った雨水は泥だめます流下するが、車道面の汚れ物質が雨水と一緒に泥だめますに入る、泥だめますの底部に汚れ物質が残ったが、回転フィルター付き容器で汚れ物質を回収が可能となる。
【図面の簡単な説明】
【０００６】
【図１】  半球型フィルター平面図
【図２】  半球型フィルター断面図
【図３】  回転フィルター６面体断面図
【図４】  泥だめます回収容器設置断面図
【図５】  泥だめます回収容器設置平面図
【図６】  車道面排水受け雨どい平面図
【符号の説明】
【０００７】１、半球型フィルター
２、半球型フィルター底部ステンレス網目
３、回転軸
４、半球型フィルター６面体
５、排水受け雨どい
６、回収容器
７、回収容器支持柱
８、排水受け雨どい出口
９、泥だめます排水口
１０、歩車道縁石
１１、泥だめます
１２、堆積物
１３、容器底部排水穴
１４、排水受け雨どい固定版
１５、泥だめます蓋
【発明を実施するための形態】
【０００８】  以下、本発明の実施の形態を図１−図５に基づいて説明する。
図１は、半球型フィルター平面図を示す。
フィルターの材質ステンレス網目で、茶こしと同じ構造で制作している、車道面の雨水排水を円形の中心部で受ける、半球型フィルター１の内側面で車道面の雨水排水を受けることで、雨水排水の中にある土、砂等はここで選択する。
【０００９】  図２は、半球型フィルター断面図を示す。
半球型フィルター底部ステンレス網目２の内側に残った土、砂等物質は底部に溜まる、車道面の雨水排水は流下する力で、半球型フィルターの位置が移動する。
【００１０】  図３は、回転フィルター６面体断面図を示す。
回転フィルター６面体４は、水車で半球型フィルター１に水を受けることで、重さを感じて、回転軸３が回る、水が連続して流下していれば、回転フィルター６面体４が連続して、流下する水をうけて、連続回転になる。
【００１１】  図４は、泥だめます回収容器設置断面図を示す。
車道面の雨水排水は、泥だめます蓋１５を通り排水受け雨どい５でうけて、排水受け雨どい出口８より雨水は流下して半球型フィルター１の内側に入る、汚れ物質は、土、砂等は半球型フィルター底部に残る、雨水だけは網目を通り下側に流下していく、半球型フィルター底部ステンレス網目２に残った物質は回転フィルター動作により汚れ物質は自重で回収容器６に落下して回収容器６の底部に堆積物１２として残る、回収容器６の底部には排水穴１３により水分量が少なくなる、回収容器６には回収容器支持柱７により回収容器６の底部は空間ができる。
【００１２】  図５は、泥だめます回収容器設置平面図を示す。
歩車道縁石１０の下側に設置されている、泥だめます１１の中に回収容器６を設置して、車道面の雨水排水は泥だめます蓋１５を通り、排水受け雨どい出口８より雨水は半球型フィルター１の中に流下していく、半球型フィルター底部ステンレス網目２に残った物質は、回収容器６の中に入る、雨水は泥だめます１１の排水口９より出ていく。
【００１３】  図６は、車道面排水受け雨どい平面図。
泥だめます１１の泥だめます蓋１５の下側に設置され  排水受け雨どい５の固定版１４により、泥だめます１１に固定される、排水受け雨どい５の中に入った雨水は排水受け雨どい出口８より出ていく。
【図１】
2016209853.tif 000003
【図２】
2016209853.tif 000004
【図３】
2016209853.tif 000005
【図４】
2016209853.tif 000006
【図５】
2016209853.tif 000007
【図６】
2016209853.tif 000008
(57)【要約】      （修正有）【課題】飛び越える時に足に当っても怪我をする恐れのないハードル競技用の練習用ハードルの提供。【解決手段】８０ｃｍ程度のバー２と、そのバーの上に立つ高さ５０ｃｍ程度のプラスティックなどの軟らかい調整部材４を具備した。【選択図】図３
2016209316.tif 000002
【特許請求の範囲】
【請求項１】
８０ｃｍ程度の土台と、その土台の上に立つ高さ５０ｃｍ程度のプラスティックなどの軟らかい素材（以降ではバーと記載する）からなることを特徴とする運動用の練習用ハードル器具または塀垣。
【請求項２】
請求項１のバーに穴を明けた構造とし、上方から高さ調整のプラステイックなどの柔らかい素材を適度な高さまで差し込むことによりバーの高さを調整できるようにした運動用の練習用ハードル器具または塀垣。
【請求項３】
請求項１で土台をコーンにし、中央に穴を明け、上方から高さ調整のプラステイックなどの柔らかい素材を適度な高さまで差し込むことによりバーの高さを調整できるようにした運動用の練習用ハードル器具または塀垣。
【発明の詳細な説明】
【技術分野】
【０００１】
運動で用いるハードルの練習器具や、柔らかい塀垣などの技術分野に適用する。
【背景技術】
【０００２】
従来、運動用のハードルの練習器具及び塀垣の特許は数多く出されている。
【先行技術文献】
【特許文献】
【０００３】
【特許文献１】特開平８−３０９０４０「練習用ハードル」ほかがある。
【非特許文献】
【０００４】
【非特許文献１】本特許に該当する公知例はない。
【発明の概要】
【発明が解決しようとする課題】
【０００５】
従来、運動用のハードル器具は、特開平８−３０９０４０「練習用ハードル」などがある。
しかしながら、全て固い素材でできており、飛び越える時に足に当たると怪我をする。
怪我をするので、気軽に練習できない欠点があった。本発明は、怪我をしにくく、楽しんで練習できる練習用ハードル器具を提供することにある。一方、この特許は同様に塀垣についても役に立つ。
【課題を解決するための手段】
【０００６】
この課題を解決する手段として、８０ｃｍ程度の土台と、その土台の上に立つ高さ５０ｃｍ程度のプラスティックなどの軟らかい素材（以降ではバーと記載する）を具備した練習用ハードル器具を提供することにより解決できる。
【発明の効果】
【０００７】
前記の手段により、以下の効果が出る。
怪我をしにくく、楽しんで練習できる練習用ハードル器具を提供できる。また、垣根についても、飛び越えても怪我が少なく、かつ、高さを調整できる垣根を提供できる。
【図面の簡単な説明】
【０００８】
【図１】実施例１の練習用ハードル器具の正面図
【図２】実施例１の練習用ハードル器具の平面図
【図３】実施例２の練習用ハードル器具の正面図
【図４】実施例２の練習用ハードル器具の平面図
【図５】実施例３の練習用ハードル器具の正面図
【図６】実施例３の練習用ハードル器具の平面図
【図７】実施例４の練習用ハードル器具の正面図
【図８】実施例４の練習用ハードル器具の平面図
【図９】コーンの参考図
【図１０】実施例５の練習用ハードル器具の正面図
【図１１】実施例４の練習用ハードル器具の平面図
【図１２】実施例４を並べた正面図
【発明を実施するための形態】
【０００９】
この発明を実施する形態は、８０ｃｍ程度の土台と、その土台の上に立つ高さ５０ｃｍ程度のプラスティックなどの軟らかい素材とを組み合わせて実施する練習用ハードル装置、或いは垣根として実施できる。
【実施例】
【００１０】
図１に１実施例を示す。  １．は練習用ハードル器具の土台であり、２は練習用ハードル器具のバーである。図２は図１の情報から見た平面図である。  
１と２は接合された一体型でも良い。また、１に２の取り付け用の穴などを設けて１の上に２が立つようにしても良い運動用の練習用ハードル器具である。
【００１１】
第二の実施例を図３、及び図４に示す。  
図１で２のバーの数か所に穴３をあけ、上方から高さ調整のプラステイックなどの柔らかい高さ調整部材４を適度な高さまで差し込むことによりバーの高さを調整できるようにした運動用の練習用ハードル器具である。
【００１２】
第三の実施例として、図５、図６に示すように、１の土台の上に、３のプラステックなどの柔らかい素材からなる棒状のバー５を
取り付けた構造を示す。１と５は接合された一体でも良いし、接続用の穴などを明けて使用するときに結合できる構造としても良い運動用の練習用ハードル器具である。
【００１３】
第四の実施例として、図７、図８は図５の５の棒状のバーの中央部に穴３をあけ、上方から高さ調整のプラステイックなどの柔らかい素材４を適度な高さまで差し込むことによりバーの高さを調整できるようにした運動用の練習用ハードル器具である。
【００１４】
第五の実施例として、まず図９に運動用のコーンを参考図として示す。
図１０、図１１はコーン６の中央部に穴３をあけ、上方から高さ調整のプラステイックなどの柔らかい素材４を適度な高さまで差し込むことによりバーの高さを調整できるようにした運動用の練習用ハードル器具である。
【産業上の利用可能性】
【００１５】
産業上の利用可能性は自明なので省略する。
【符号の説明】
【００１６】
１は練習用ハードル器具の土台
２は練習用ハードル器具のバー
３は高さ調整部材を差し込む穴
４は高さ調整部材
５は棒状のバー
６は運動用のコーン
【図１】
2016209316.tif 000003
【図２】
2016209316.tif 000004
【図３】
2016209316.tif 000005
【図４】
2016209316.tif 000006
【図５】
2016209316.tif 000007
【図６】
2016209316.tif 000008
【図７】
2016209316.tif 000009
【図８】
2016209316.tif 000010
【図９】
2016209316.tif 000011
【図１０】
2016209316.tif 000012
【図１１】
2016209316.tif 000013
【図１２】
2016209316.tif 000014
(57)【要約】【課題】口内の細菌が全身のリスクに影響を及すことが分ってきた。入れ歯であっても口内は食べ粕、入れ歯の接着剤、唾液のヌメリ等で不潔になる。口が入り口になり体内に流れて行くので細菌がそのまま進入して悪影響を及すことになる。それを食い止めるのに安全に汚れを拭い取れるグッズを提供する。【解決手段】親指を入れるキャップ（ア）と人差指を入れるキャップ（イ）と（ア）と（イ）を繋げる（ウ）を設け、歯茎の外側と内側と挟み、頂点となる部分を（ウ）に当てる。口を大きく開るのではなく、力を入れない状態で親指と人差指を歯茎の端の内、外を挟み、横に通すことにより一拭出来ることを特徴とする。【選択図】図１
2016209510.tif 000002
【特許請求の範囲】
【請求項１】
自らの利き手の親指に被せるキャップ（ア）と人差指に被せるキャップ（イ）で歯茎の表と裏を挟み（ア）と（イ）を繋げることにより歯茎の先に当る様にして、歯茎の左右の端から端まで通すことにより、食べ粕や歯茎と入れ歯の接着剤の残りや唾液のヌメリ等の汚れを、又、入れ歯も同じく一挙に拭い取れる。
【発明の詳細な説明】
【技術分野】
【０００１】  この発明は入れ歯を外した時に入れ歯と歯茎を手早く清潔にするものである。
【背景技術】
【０００２】  従来、歯が存在している人やこれから生えてくる乳、幼児のための歯茎を丈夫にするという目的のマッサージグッズは見受けられるが、歯が無く歯茎だけの口腔のケアのグッズが少ない。
【発明の概要】
【発明が解決しようとする課題】
【０００４】  これは次の様な欠点があった。
柔かい植毛の歯刷子であっても柄を持って磨くため歯が有る時は刷子に伝わる力が歯が受け止める事ができるが、ヌメリが有って短い歯茎だけになると口内で滑り易く柄にかゝる力で怪我をする
本発明は以上のような欠点を無くすためになされたものである。
【課題を解決するための手段】
【０００５】  自分の親指にキャップを被せる（ア）と人差指にキャップを被せる（イ）（ア）と（イ）を繋げる（ウ）を設ける。以上の構成によって成る入れ歯、歯茎のケアグッズである。
【発明の効果】
【０００６】  利き手の親指の先のキャップと人差指のキャップとそれを繋ぐものとで歯茎の奥の端から横に滑らせ、反対側の奥の端まで到達すればゴシゴシ磨かなくても時間も、怪我も少くできる。入れ歯も拭う事もできる。
【図面の簡単な説明】
【０００７】
【図１】親指のキャップ（ア）と人差指のキャップ（イ）を繋げる（ウ）
【発明を実施するための形態】
【０００８】素材は歯茎との抵抗が低いと効果が得られない。歯茎の高さに相当する親指（ア）人差指（イ）のキャップの深さを設け（ア）（イ）を繋ぐことにより歯茎の先端も一緒に拭える
【符号の説明】
【０００９】（ア）親指のキャップ
（イ）人差指のキャップ
（ウ）アとイを繋げる
【図１】
2016209510.tif 000003
【図２】
2016209510.tif 000004
【手続補正書】
【提出日】平成27年10月30日(2015.10.30)
【手続補正１】
【補正対象書類名】明細書
【補正対象項目名】０００７
【補正方法】変更
【補正の内容】
【０００７】
【図１】  利き手親指の第１関節（ア）と人差指の第２関節（イ）の深さになるキャップをザラザラした材質で作る。指の太さはＬ，Ｍ，Ｓに定める、（ア）と（イ）を繋げる（ウ）を設ける
【図２】  総入れ歯の歯茎の内側と外側を（ア）（イ）（ウ）で挟んで奥の方から横に滑らせ歯茎全体の汚れを一度に速く拭う事が出来る。
(57)【要約】【課題】押し出し部（５）の両面を摩擦の大きな面にして収納部の中に取り付けて名刺（４）を送り出す。【解決手段】収納部上（２）の内側、または、収納部下（３）の内側に押し出し部（５）を取り付ける。【選択図】図１
2016209509.tif 000002
【特許請求の範囲】
【請求項１】
名刺入れの収納部の中に名刺（４）を送り出す押し出し部（５）を取り付ける。
【発明の詳細な説明】
【技術分野】
【０００１】本案は名刺を一枚づつ取り出せるようにした名刺入れです。
【背景技術】
【０００２】名刺入れに長穴があっても指の状態によっては滑って名刺を送り出せなかったりした。
【先行技術文献】
【特許文献】
【０００３】
【特許文献１】特開２０１５−０１６０５５
【発明の概要】
【発明が解決しようとする課題】
【０００４】コンパクトな作りにして外見的にもよく、ポケットへの出し入れもスムーズにできるようにする。
【課題を解決するための手段】
【０００５】名刺の収納部の中に両面が滑り止めになる押し出し部を着脱できるように取り付ける。
【発明の効果】
【０００６】指が滑らず、また、押し出し部が傷んだときなど取り換えができるようにする。
【図面の簡単な説明】
【０００７】
【図１】二つ折りの名刺入れを開いた斜視図である。
【図２】収納部上の内側の平面図である。
【図３】収納部上の内側の平面図である。
【図４】二つ折り表と収納部下の内側の平面図である。
【発明を実施するための形態】
【０００８】本案は革製など軟らかいもので作った名刺入れである。押し出し部（５）は両端にぶつぶつなどのある摩擦が大きく弾力性の高い薄いゴムなどにする。長めにして収納部上（２）の内側の名刺出し入れ口寄りの周辺部に押し出し部（５）の一端をマジックテープや小さい嵌合式で着脱できるように取り付ける。名刺（４）を取り出すとき名刺入れを平らに持つと押し出し部（５）は名刺（４）の上に乗り収納部上（２）とに隙間ができるので指を入れて名刺（４）を送り出す。押し出し部（５）の取り付けは周辺寄りとは別に短めにして名刺出し入れ口寄りの中央部に一端、あるいは両端を同じように取り付けてもよい。両端を取り付ける場合は軸を長くしてスライド式にしてもよい。また、押し出し部（５）を少し長くしてたるみを持たせて指を入れ易くする。それから名刺（４）を取り出すとき縦に持った場合名刺入れは前傾になるので収納部下（３）の内側に取り付けてもよい。この場合押し出し部（５）が開いたまま下へ下がるように名刺出し入れ口寄りの角に一端を斜めに取り付ける。また、軸に掛けて少し回るように取り付けてもよい。名刺（４）を取り出すときは押し出し部（５）と収納部下（３）の間に指を入れて送り出す。
本案は以上に限らず取り付け部（６）は固定でもスライド式でも回るようにしてもよく、押し出し部（５）は固いもので作ってもよい。
【符号の説明】
【０００９】１二つ折り表  ２収納部上  ３収納部下  ４名刺  ５押し出し部  ６取付け部
【図１】
2016209509.tif 000003
【図２】
2016209509.tif 000004
【図３】
2016209509.tif 000005
【図４】
2016209509.tif 000006
(57)【要約】【課題】オープンファスナーの蝶棒を蝶箱に嵌入させる繰作で、衣服の生地が分厚い場合やスライダーが小さい場合、また、幼児や高齢者、身体障害者にとって蝶棒をスライダーに挿入するのは容易ではない【解決手段】スライダーの下翼板と案内柱をスライダーから突出、延長させて蝶棒の挿入ガイドとすることにより容易に蝶棒をスライダー内に挿入させることが出来る。【選択図】図２
2016209504.tif 000002
【特許請求の範囲】
【請求項１】
オープンファスナーのスライダーの下翼板およびエレメント案内柱をスライダー本体より、突出延長させた構造
【請求項２】
延長したエレメント案内柱側面の、下翼板と相対する部分に凸条を設けて、蝶棒を遊嵌案内させるための溝を構成したスライダーの構造
【請求項３】
下翼板とエレメント案内柱の延長部を左右対称とし蝶棒の左差し、右差し兼用としたスライダーの構造
【発明の詳細な説明】
【技術分野】
【０００１】本発明は衣服等に装着されるオープン型ファスナーの開閉用スライダーに関する
【背景技術】
【０００２】オープン型ファスナーの付いた衣服を着用するには、目視または指先の感覚によってスライダーの蝶棒案内通路を確認し、スライダーを経由してエレメントの先端に付けられた蝶棒を蝶箱に嵌入させてからファスナーを閉じる
【発明の開示】
【発明が解決しようとする課題】
【０００３】オープン型ファスナーの付いた衣服を着用するにあたって、ファスナーの蝶棒をスライダーのエレメント案内通路を通して蝶箱に嵌入させた後、スライダーを引き上げてエレメント（務歯）をかみ合わせる操作をするが、衣服の生地が分厚い場合やスライダーが小さい場合、また、幼児や高齢者、身体障害者にとっては蝶棒をスライダーに差し込むのは容易ではない。
【課題を解決するための手段】
【０００４】スライダーのエレメント案内通路の手前にスライダーの下翼板とエレメント案内柱を突出させ、突出させた下翼板と案内柱の側面によって構成されたＬ字型の案内隅に蝶棒を押しつけて滑らせるだけの簡単な操作でエレメント案内通路を通過させて蝶箱に挿入できる。
【発明の効果】
【０００５】蝶棒案内部分が本体スライダーよりも突出して外にあるので目視または指先の感覚で容易に確認でき、蝶棒を案内隅に当てつけて滑らせるだけの操作で案内通路に挿入でき、衣服の装着が容易になる
【発明を実施するための最良の形態】
【０００６】本発明の実施形態について図面を参照して説明する
【実施例】
【図面の簡単な説明】
【図１】従来のスライダーの構造斜視図
【図２】スライダーの下翼板２とエレメント（務歯）案内柱３をスライダー本体より突出して開閉方向に延長したスライダーの構造斜視図で、蝶棒の挿入部分がよく識別でき、オープンになっているので蝶棒を案内隅５にあてがってスライダーに滑り込ませるのが容易
【図３】エレメントの案内柱３の側面に凸条６をもうけて蝶棒の案内溝を構成した斜視図で、蝶棒を案内隅５にあてがった時に蝶棒が浮き上がるのを防止する
【図４】本発明の案内隅に蝶棒をあてがった状態の斜視図
【符号の説明】    １  スライダー本体
２  下翼板
３  案内柱
４  エレメント案内通路
５  案内隅
６  凸条
７  蝶棒
８  エレメント
９  ファスナーテープ
１０  衣服（市、皮革等）
【図１】
2016209504.tif 000003
【図２】
2016209504.tif 000004
【図３】
2016209504.tif 000005
【図４】
2016209504.tif 000006